(57)【特許請求の範囲】
【請求項１】
用紙を収納する給紙カセットと、該給紙カセットを挿込み装着される給紙カセット装着部とを有し、前記給紙カセットから用紙を送出する記録装置の給紙カセット装着装置であって、
前記給紙カセット装着部に配置され、挿込まれた前記給紙カセットが正規位置に装着される手前で該給紙カセットに対し挿込み方向に作用し、該給紙カセットを前記正規位置である第２安定位置へ強制的に移動させ安定状態で維持し、
前記給紙カセットを正規位置から所定距離引抜くと該給紙カセットを前記給紙カセット装着部の給紙カセット挿込口方向側である第１安定位置へ強制的に移動させる２安定機構を備え、
該２安定機構が給紙カセットを装着していない状態で、前記２安定機構をロックすると共に、該ロック状態を給紙カセットの給紙カセット装着部への挿込によって解除するロック機構を備えていることを特徴とする給紙カセット装着装置。
【請求項２】
用紙を収納する給紙カセットと、該給紙カセットを挿込み装着される給紙カセット装着部とを有し、前記給紙カセットから用紙を送出する記録装置の給紙カセット装着装置であって、
前記給紙カセット装着部に配置され、挿込まれた前記給紙カセットが正規位置に装着される手前で該給紙カセットに対し挿込み方向に作用し、該給紙カセットを前記正規位置である第２安定位置へ強制的に移動させ安定状態で維持し、
前記給紙カセットを正規位置から所定距離引抜くと該給紙カセットを前記給紙カセット装着部の給紙カセット挿込口方向側である第１安定位置へ強制的に移動させる２安定機構を備え、
前記給紙カセットはカセット装着用ボスを有し、２安定機構は給紙カセットの挿込み時に前記カセット装着用ボスの進路を横切って伸びた２又形状のボス連係部を有し、前記給紙カセットはカセット装着用ボスにボス連係部が押されて回転する作動部材と、該作動部材の回転を所定範囲に規制する回転規制部と、前記作動部材に回転力を与える回転力付与部材と、を備え、
前記作動部材は、第１安定位置または第２安定位置から前記所定範囲内のある角度を超えて回転すると前記回転力付与部材の作用が反転して他の安定位置へ強制的に回転させられ、
前記給紙カセット装着部は、前記給紙カセットの用紙送出し側の前壁部を規制するカセット前壁ストッパおよび側壁部を規制するカセット側壁ストッパを備え、２安定機構の回転力付与部材が第２安定位置で給紙カセットに作用する力の給紙カセットの挿込み方向とそれと直角な方向の分力を利用して前記各ストッパへ給紙カセットを押し付けることを特徴とする給紙カセット装着装置。
【請求項３】
請求項１において、給紙カセットはカセット装着用ボスを有し、２安定機構は給紙カセットの挿込み時に前記カセット装着用ボスの進路を横切って伸びた２又形状のボス連係部を有し、前記給紙カセットはカセット装着用ボスにボス連係部が押されて回転する作動部材と、該作動部材の回転を所定範囲に規制する回転規制部と、前記作動部材に回転力を与える回転力付与部材と、を備え、
前記作動部材は、第１安定位置または第２安定位置から前記所定範囲内のある角度を超えて回転すると前記回転力付与部材の作用が反転して他の安定位置へ強制的に回転させられることを特徴とする給紙カセット装着装置。
【請求項４】
請求項３において、回転力付与部材の一端は、作動部材の回転支点を対称として前記作動部材のボス連係部とは反対側の該作動部材上に支持され、回転力付与部材の他端は前記作動部材の回転力付与部材支持点と回転支点およびボス連係部を結ぶ線の前記ボス連係部側の延長線上に固定されていることを特徴とする給紙カセット装着装置。
【請求項５】
請求項３の記載において、ロック機構は、２安定機構の第１の安定位置にある作動部材のボス連係部をロックするロックレバーと、該ロックレバーをロック作動方向に付勢する付勢部材と、給紙カセットに設けられ、該給紙カセットの挿込み方向に伸びておりかつ前記２安定機構の第１安定位置と第２安定位置の間を前記ボス連係部が移動する距離にほぼ等しい長さを有するロックレバー解除用突起とから成り、
前記ロックレバーは、前記ボス連係部が第１安定位置と第２安定位置の間にあるとき、前記ロックレバー解除用突起によりロック解除状態が保持されていることを特徴とする給紙カセット装着装置。
【請求項６】
請求項３または４の記載において、給紙カセット装着部は、前記給紙カセットの用紙送出し側の前壁部を規制するカセット前壁ストッパおよび側壁部を規制するカセット側壁ストッパを備え、２安定機構の回転力付与部材が第２安定位置で給紙カセットに作用する力の給紙カセットの挿込み方向とそれと直角な方向の分力を利用して前記各ストッパへ給紙カセットを押し付けることを特徴とする給紙カセット装着装置。
【発明の詳細な説明】
【０００１】
【発明の属する技術分野】
本発明は、プリンタ等の記録装置における給紙カセット装着装置に係り、特に給紙カセットを機器本体に装着する際に、給紙カセット装着部の正規位置に確実かつ安定状態で給紙カセットを維持させる機構を備えた給紙カセット装着装置に関する。
【０００２】
【従来の技術】
従来、ファクシミリ装置、複写機、プリンタ装置等においては、複数枚の用紙を重ねて収納する給紙カセットが一般的に使用されており、この給紙カセットから用紙を給送し、記録を行っている。
給送される用紙に対し、記録ヘッドの印字開始位置（ゼロ桁）を一致させるため、給紙カセットと用紙および給紙カセットと給紙カセット装着部との関係を高い精度にする必要がある。その対策として、給紙カセットには、用紙側端を揃えるガイド部材および用紙後端を押して最上位の用紙を確実に分離給送するための用紙後端押し部材が設けられている。一方、機器本体の給紙カセット装着部には、ストッパ部材が設けられており、給紙カセットを挿し込み、ストッパ部材に給紙カセットの前壁部および側壁部を突き当てることでゼロ桁側に位置合わせを行うようになっている。
【０００３】
【発明が解決しようとする課題】
従来、給紙カセット装着部に対する給紙カセットの位置決めは、給紙カセットの前壁部と給紙カセットの側壁部を２方向によって行われているが、それぞれが別個のばね機構を用いて構成されているため、複雑な構造になっていた。また、２方向に付勢する機構のない装置もあった。従って、給紙カセットを挿し込む際に、ストッパ部材への突き当て操作が人によって異なるため、給紙カセットが正規位置に装着されないことも起こり、それによってゼロ桁側の位置合わせ精度や分離性能を低下させる等の問題があった。
【０００４】
本発明の目的は、上記の問題を解決するため、給紙カセット脱着時に給紙カセット装着部の正規位置または給紙カセット挿込口側へ給紙カセットを強制的に移動させる２安定機構を備え、この２安定機構により給紙カセットを正規位置に維持させかつ確実に記録ヘッドの主走査方向に位置合わせできるようにした給紙カセット装着装置を提供することにある。
【０００５】
【課題を解決するための手段】
請求項１の発明は、用紙を収納する給紙カセットと、該給紙カセットを挿込み装着される給紙カセット装着部とを有し、前記給紙カセットから用紙を送出する記録装置の給紙カセット装着装置であって、前記給紙カセット装着部に配置され、挿込まれた前記給紙カセットが正規位置に装着される手前で該給紙カセットに対し挿込み方向に作用し、該給紙カセットを前記正規位置である第２安定位置へ強制的に移動させ安定状態で維持し、前記給紙カセットを正規位置から所定距離引抜くと該給紙カセットを前記給紙カセット装着部の給紙カセット挿込口方向側である第１安定位置へ強制的に移動させる２安定機構を備え、該２安定機構が給紙カセットを装着していない状態で、前記２安定機構をロックすると共に、該ロック状態を給紙カセットの給紙カセット装着部への挿込によって解除するロック機構を備えていることを特徴とする。
請求項１の発明によれば、２安定機構により給紙カセットを確実に正規位置にセットし、維持するので、用紙の分離性能が向上されると共に、記録ヘッドの主走査方向位置と給紙カセットの位置合わせ精度が良くなる。
【０００６】
さらに、請求項１の発明によれば、ロック機構により給紙カセットの非装着時に、2安定機構がロックされるので、常に給紙カセットの装着可能状態が確保されると共に、操作者の誤操作等による２安定機構の作動を防止でき、信頼性が向上する。
請求項２の発明は、用紙を収納する給紙カセットと、該給紙カセットを挿込み装着される給紙カセット装着部とを有し、前記給紙カセットから用紙を送出する記録装置の給紙カセット装着装置であって、前記給紙カセット装着部に配置され、挿込まれた前記給紙カセットが正規位置に装着される手前で該給紙カセットに対し挿込み方向に作用し、該給紙カセットを前記正規位置である第２安定位置へ強制的に移動させ安定状態で維持し、前記給紙カセットを正規位置から所定距離引抜くと該給紙カセットを前記給紙カセット装着部の給紙カセット挿込口方向側である第１安定位置へ強制的に移動させる２安定機構を備え、前記給紙カセットはカセット装着用ボスを有し、２安定機構は給紙カセットの挿込み時に前記カセット装着用ボスの進路を横切って伸びた２又形状のボス連係部を有し、前記給紙カセットはカセット装着用ボスにボス連係部が押されて回転する作動部材と、該作動部材の回転を所定範囲に規制する回転規制部と、前記作動部材に回転力を与える回転力付与部材と、を備え、前記作動部材は、第１安定位置または第２安定位置から前記所定範囲内のある角度を超えて回転すると前記回転力付与部材の作用が反転して他の安定位置へ強制的に回転させられ、前記給紙カセット装着部は、前記給紙カセットの用紙送出し側の前壁部を規制するカセット前壁ストッパおよび側壁部を規制するカセット側壁ストッパを備え、２安定機構の回転力付与部材が第２安定位置で給紙カセットに作用する力の給紙カセットの挿込み方向とそれと直角な方向の分力を利用して前記各ストッパへ給紙カセットを押し付けることを特徴とする。
【０００７】
請求項３の発明は、請求項１の発明において、給紙カセットはカセット装着用ボスを有し、２安定機構は給紙カセットの挿込み時にカセット装着用ボスの進路を横切って伸びた２又形状のボス連係部を有し、カセット装着用ボスにボス連係部が押されて回転する作動部材と、該作動部材の回転を所定範囲に規制する回転規制部と、作動部材に回転力を与える回転力付与部材とを備え、作動部材は、第１安定位置または第２安定位置から所定範囲内のある角度を超えて回転すると回転力付与部材の作用が反転して他の安定位置へ強制的に回転させられることを特徴とする。
請求項３の発明によれば、回転力付与部材の作用を反転させて作動部材を第１安定位置と第２安定位置へ強制的に回転させるので、給紙カセットの位置決めが確実に行われかつその状態が維持される。
【０００８】
請求項４の発明は、請求項３の発明において、回転力付与部材の一端は、作動部材の回転支点を対称として作動部材のボス連係部とは反対側の該作動部材上に支持され、回転力付与部材の他端は作動部材の回転力付与部材支持点と回転支点およびボス連係部を結ぶ線のボス連係部側の延長線上に固定されていることを特徴とする。
請求項４の発明によれば、単一の回転力付与部材を用いて２安定機構を動作させるので、構成が簡素化できる。
【０００９】
請求項５の発明は、請求項３の発明において、ロック機構は、２安定機構の第１の安定位置にある作動部材のボス連係部をロックするロックレバーと、該ロックレバーをロック作動方向に付勢する付勢部材と、給紙カセットに設けられ、該給紙カセットの挿込み方向に伸びておりかつ２安定機構の第１安定位置と第２安定位置の間をボス連係部が移動する距離にほぼ等しい長さを有するロックレバー解除用突起とから成り、ロックレバーは、ボス連係部が第１安定位置と第２安定位置の間にあるとき、ロックレバー解除用突起によりロック解除状態が保持されていることを特徴とする。
請求項５の発明によれば、給紙カセットのカセット装着用ボスが第１安定位置と第２安定位置の間にあるときは、ロックレバー解除用突起によってロックレバーがロック解除状態に保持されている。すなわち、給紙カセットの装着状態ではロック機構を操作することができず、また、振動、衝撃などの外力が作用してもロック解除がなされないから、給紙カセット引抜き時にロックレバーに作動部材が引っ掛かるなどのトラブルを防止できる。
【００１０】
請求項６の発明は、請求項３または４の発明において、給紙カセット装着部は、給紙カセットの用紙送出し側の前壁部を規制するカセット前壁ストッパおよび用紙側端揃えを行う側壁部を規制するカセット側壁ストッパを備え、２安定機構の回転力付与部材が第２安定位置で給紙カセットに作用する力の給紙カセットの挿込み方向とそれと直角な方向の分力を利用して各ストッパへ給紙カセットを押し付けることを特徴とする。
請求項６の発明によれば、給紙カセットの正規位置への装着を確実に行うことができると共に、２安定機構の回転力付与部材を利用して給紙カセットをストッパに突き当てた正規位置に安定して維持させることができ、更に用紙側端を揃える側壁部を記録ヘッドの主走査方向位置に位置合わせできる。このように簡単な構成によって用紙の分離性能の向上や給紙精度の向上が可能となる。
【００１１】
【発明の実施の形態】
本願発明の実施の形態を説明する。図１は本発明に係る給紙カセット装着装置を適用したプリンタ装置のカバーを外した斜視図、図２はプリンタ装置における給紙装置の模式図である。
【００１２】
先ず、プリンタ装置の概略を説明する。プリンタ装置１は、装置本体の正面側に給紙カセット挿込口２Ａが設けられた給紙カセット装着部２を備え、給紙カセット挿込口２Ａから複数枚の用紙Ｐを重ねて収納した給紙カセット２０が挿入装着される。底フレーム４０に立設された主フレーム１１０には、記録ヘッド１２を搭載したキャリッジ１１１を主走査方向に移動可能に支持する主軸１１２、キャリッジ１１１を駆動するモータ１１３やベルト１１４からなるキャリッジ駆動部１１５、用紙Ｐの搬送部１１６、装置本体の後方に給紙部１１７、記録ヘッド１２のクリーニングやインク吸引などの保守を行うためのキャリッジホームホジション１１８が設けられている。
【００１３】
給紙カセット装着部２には、図２に示すように給紙カセット挿込口２Ａ側の底フレーム４０に回転支点３ａを有する押し板操作レバー３が給紙ローラ６の近傍まで伸びて配設されており、この押し板操作レバー３はスプリング（図示省略）により給紙ローラ６側に付勢されている。レリース軸４に取り付けられたカム体５のカム５ａが押し板操作レバー３に設けられたカムフォロア３ｂに作用すると、押し板操作レバー３は用紙Ｐの給紙毎に押し板２１を図示の上方へ押し上げた位置（給紙状態）と該位置から下方へ押し下げた位置（非給紙状態）に作動させる。つまり、給紙スタートによりレリース軸４が回転すると、パッド６Ｂは給紙ローラ６に押し付けられると共に、押し板軸２４を中心として回動する押し板２１は操作レバー３によって給紙ローラ６側に押し上げられ、上層側の用紙先端が給紙ローラ６に押し付けられる。
【００１４】
給紙カセット２０の上層側の用紙Ｐは、パッド６Ｂにより１枚つづ分離され、給紙ローラ６により給送され、紙ガイドローラ７や紙案内部８にガイドされ、紙検知器９によって紙検知が行われ、搬送ローラ１０と従動ローラ１１から成る搬送部１１６に送られる。続いて、紙検知に基づいて搬送ローラ１０の駆動制御を行って用紙Ｐの頭出しを行い、記録タイミングに合わせて記録ヘッド１２とプラテン１３から成る記録域へ搬送し、用紙Ｐに印字が行われて排出される。
【００１５】
次に、上述のプリンタ装置に適用される本発明に係る給紙カセット装着装置を詳しく説明する。図３は本発明に係る給紙カセット装着装置における給紙カセットを用紙収納部側から見た斜視図、図４は図３のＩ−Ｉ矢視図、図５は給紙カセットの平面図、図６は給紙カセットの背面図、図７は裏カバーを取外した給紙カセットの背面図である。
【００１６】
図３において、給紙カセット２０は、底板部２２と、この底板部２２の前後および左右に設けられた側壁部２３とによって箱状容器を形成している。給紙カセット２０の前側には、積載された用紙Ｐを給紙ローラ６側に押し上げる押し板２１が配置されており、この押し板２１は押し板軸２４を底板部２２の軸受け部２５に回動可能に支持し、給紙カセット２０の前方の側壁部側を上方に動き得るようになっている。
【００１７】
給紙カセット２０の後側には、積載された用紙Ｐの用紙後端に当てられる当接部２６ａを有する用紙後端当て部材２６が側壁方向に並行かつ離間して１対設けられている。給紙カセット２０の背面は、図6に示すように押し板２１側に位置して後述する２安定機構およびロック機構の為のロックレバー操作用突起２１０とカセット装着用ボス２２０が設けられている。それより後方には用紙後端当て部材２６および用紙側端揃え部材２７の機構部が配設されており、その機構部を覆って裏カバー３８が取り付けられている。
【００１８】
図７において、用紙後端当て部材２６は、カセット背面において移動可能に配設されたスライドプレート２６１に連結されており、このスライドプレート２６１とカセット背面との間にスプリング２６２が張設され、給紙カセット２０の前側へ付勢されている。用紙後端当て部材２６の当接部２６ａは、底板部２２に向かって給紙カセット２０の後側に傾斜した当接面を有し、この当接面がスプリング２６２の付勢力によって用紙後端に当てられる。これにより用紙Ｐは、上層側から底板部側の下層側に対して上側を下側より前方へ押し出され、給紙カセット２０の前部の側壁部２３に押しつけられ、給紙ローラ６およびパッド６Ｂにより上層側から１枚つづ分離して給送される。
【００１９】
給紙カセット２０の一方の側壁部側には、図５に示すように用紙Ｐの一方の側端を押して対向する側壁部に用紙側端を揃える為の用紙側端揃え部材２７が配置されている。用紙側端揃え部材２７は、第１の押し部２７Ａと第２の押し部２７Ｂから成り、側壁部に沿って配置されている。第１の押し部２７Ａおよび第２の押し部２７Ｂの一端は、給紙カセット２０の背面に設けられたバー３１に連係されて用紙側端揃え部材２７のほぼ中間部分を構成すると共に、それぞれの押し部２７Ａ，２７Ｂの他端は底板部２２に回動可能に支持されている。第１の押し部２７Ａと第２の押し部２７Ｂの一端側は、給紙カセット２０の背面側に配設された付勢機構３０により用紙側端を揃える側壁部に向かって付勢されている。
【００２０】
付勢機構３０は、図７に示すようにバー３１、可動プレート３２およびスプリング３３，３４，３５からなっている。バー３１は、第１の押し部２７Ａと第２の押し部２７Ｂの一端側に連結され、給紙カセット２０の側壁部に沿って回動可能に取り付けられている。可動プレート３２は、給紙カセット２０の挿入方向とは直角な方向にスライド可能に設けられており、給紙カセット２０の前記側壁部とは反対の側壁部側に用紙揃え用ボス３６ａを有するボスプレート３６が一体的に結合されている。ボスプレート３６の拡幅部３６ｂは、給紙カセット２０の背面に形成されたプレートガイド部３７にガイドされ、その先端のＬ形部分に当たってボスプレート３６のバー３１側への移動が規制される。
【００２１】
底板部２２と可動プレート３２の間にスプリング３３、またバー３１と可動プレート３２の間に複数のスプリング３４，３５がそれぞれ張設されている。スプリング３３は、図示の如く、ボスプレート３６をプレートガイド部３７のＬ形部分に突き当てて可動プレート３２を保持する。このとき、バー３１は、可動プレート３２の延出部３２ａによって用紙側端を押す内向きの動きが止められ、しかもスプリング３４，３５が共にバー３１に作用しない為、用紙側端揃え部材２７は、図５に示す位置にあって、外向きのみに動かすことができる。用紙側端揃え部材２７と用紙側端揃え側の側壁部との間隔は、用紙幅より若干広く設定されているので、図５に示す状態では用紙を収納する際に用紙側端揃え部材が邪魔になることはない。
【００２２】
給紙カセット２０を給紙カセット装着部２に装着する際、給紙カセット２０の挿入過程でスプリング３４、３５による荷重が１又は２の組み合わせによって作用する。その為のカム機構は、ボスプレート３６の用紙揃え用ボス３６ａ、給紙カセット装着部２の底フレーム４０に設けられたく字形の溝カム４１（図8参照）からなっている。
【００２３】
給紙カセット２０を給紙カセット装着部２に挿込むと、図８に示すように用紙揃え用ボス３６ａが溝カム４１のカム面４１ａに接して案内され、先ずスプリング３４を働かせて用紙側端揃え部材２７により用紙側端を押す。この押し力は、図８の▲１▼から▲２▼まで作用する。更に給紙カセット２０を挿入するとスプリング３４が働くようになり、スプリング３３との合成された荷重によって用紙側端を押し、給紙カセット２０の反対側の側壁部に揃える。この押し力は、図８の▲２▼〜▲４▼の間で作用し、▲３▼の位置で最も大きくなる。▲４▼と▲５▼の間ではスプリング３５が働かなくなり、スプリング３４のみで用紙側端を押し、揃えた状態を維持する。
【００２４】
このように付勢機構を複数のスプリング３４，３５によって構成することで、給紙カセット２０の装着時に抵抗となる挿入方向とは直角な方向に加わる力を極力小さくし、つまり用紙側端を揃えるときのみに必要な力を働かせることができる。
【００２５】
本実施例の給紙カセットは、Ａ４サイズやレターサイズなど縦横のサイズが若干異なる用紙に対応するため、図５に示すように用紙後端当て部材２６および用紙側端揃え部材２７の配置を変える為の用紙後端当て部材用取付け穴２８および用紙側端揃え部材用取付け穴２９が穿設されている。各種の用紙サイズに対する用紙後端当て部材２６と用紙側端揃え部材２７の配置については、例えば、Ａ４サイズの用紙の場合には図７の位置の取付け穴を、またレターサイズの場合には図中の符号で指し示す取付け穴２８，２９をそれぞれ利用して配置される。
【００２６】
次に、プリンタ本体の正規位置へ給紙カセットを装着する為の機構について説明する。図８は給紙カセット装着部の底フレーム４０の平面図、図９は給紙カセット装着部の底フレーム４０と給紙カセット２０の関係を示す背面図である。
【００２７】
先ず、本発明に係る給紙カセット装着装置に関する給紙カセットの構成について説明する。なお、給紙カセットの全体構成については、図６〜７を参照する。
【００２８】
給紙カセット２０の底板部２２の背面には、プリンタ本体への挿入方向に伸びるリブ状のロックレバー操作用突起２１０と給紙カセット２０の巾方向のほぼ中央にカセット装着用ボス２２０が、図6に示されているように押し板２１の軸受け部２５とほぼ同列でかつその内側に一体的に設けられている。ロックレバー操作用突起２１０の先端は、カセット装着用ボス２２０の位置より更に給紙カセット２０の前側に位置されている。
【００２９】
一方、プリンタ本体１の給紙カセット装着部２には、給紙カセット２０の挿入を案内する底フレーム４０が設けられている。図９において、底フレーム４０には、給紙カセット２０の挿入時に動作する２安定機構５０が配設されている。底フレーム４０の給紙カセット２０の挿入側には、カセット装着用ボス２２０に関連するボス用スリット４２とロックレバー操作用突起２１０に関連する突起用スリット４３が形成されており、各スリット４２、４３は給紙カセット２０の挿入側が開放されている。
【００３０】
ボス用スリット４２に対し、突起用スリット４３とは反対側の底フレーム４０には、ボス用スリット４２を横切って配置されたボス連係部５１を有する２安定作動部材５２が回転可能に設けられている。ボス連係部５１は、基部５３から延出された平行な短片５１ａと長片５１ｂから成る２又構造になっており、カセット装着用ボス２２０の進入方向の手前側に短片５１ａ、奥側に長片５１ｂが位置されている。
【００３１】
基部５３と底フレーム４０の間には、ボス連係部５１が給紙カセット２０の装着前の第１安定位置（図９に示す位置）と装着後の第2安定位置（図１２に示す位置）の範囲で回動できるようにする為の回動規制部が設けられている。回動規制部は、図８に示すように底フレーム４０に基部５３の回動支点を中心として設けられた円弧状のスリット４４と、基部５３に設けられた、スリット４４内を移動可能な規制片５４とからなっている。
【００３２】
ボス連係部５１を前述の２位置に安定状態で維持させる為のトグル機構が設けられている。トグル機構は、スプリング５５の一端をボス連係部５１とは反対側でかつ回転中心より離れた基部５３に掛け止めし、他端を突起用スリット４３の外側の底フレーム４０に掛け止めされており、基部５３の回転中心が基部５３のスプリング掛け止め位置と底フレーム４０のスプリング掛け止め位置とを結ぶ線上にあるときを境にしていずれかの方向にボス連係部５１が振れるとその方向への基部５３の回転に対してスプリング力が働き、給紙カセット２０をストッパ５８に突き当てる第２安定位置まで一気に基部５３を回転させる。
【００３３】
ボス連係部５１が第1安定位置にあるとき、ボス連係部５１の動きを停止させるロック機構が設けられている。ロック機構は、ボス用スリット４２と突起用スリット４３の間の底フレーム４０に回動可能に支持されたロックレバー５６と、第１安定位置にあるボス連係部５１の長片５１ｂが第２安定位置の方へ動くのを阻止するようロックレバー５６を回転させるスプリング５７から成っている。
【００３４】
ロックレバー５６は、突起用スリット４３を横切るロック解除片５６ａを有し、このロック解除片５６ａを給紙カセット２０のロックレバー操作用突起２１０に突き当たる様に位置し、更にロックレバー操作用突起２１０の進入により解除動作を行う。すなわち、ロックレバー操作用突起２１０がロック解除片５６ａをカセット挿入方向に押すことで、ロックレバー５６をスプリング５７の付勢力に抗して回転させボス連係部５１の長片５１ｂとの係止を外し、ロック状態を解除する。
【００３５】
ロック解除が行われると、給紙カセット２０のカセット装着用ボス２２０の進入によりボス連係部５１の長片５１ｂが押せる状態となる。符号５８は、給紙カセット装着部の正規位置に給紙カセット２０を装着するため、給紙カセット２０の前の両側コーナを位置決めするストッパ、また符号５９は底フレーム４０に設けられたロックレバー５６の回転規制部である。
【００３６】
本実施例の給紙カセット装着装置の作用について図９〜１２を参照しながら説明する。給紙カセット２０を給紙カセット挿込口２Ａに挿し込むと用紙揃え用ボス３６ａ、ロックレバー操作用突起２１０、カセット装着用ボス２２０が底フレーム４０の溝カム４１、ボス用スリット４２、突起用スリット４３にそれぞれが進入する（図９）。なお、用紙揃え用ボス３６ａと溝カム４１による用紙側端の揃え動作については、先に説明したので、ここでは省略する。
【００３７】
先ず、ロックレバー操作用突起２１０がロックレバー５６のロック解除片５６ａに到達し、ロックレバー５６をスプリング５７の付勢力に抗して矢印方向へ回転させてロックを解除する（図１０）。このときカセット装着用ボス２２０は、２安定作動部材５２のボス連係部５１に達する。更に給紙カセット２０を挿入するとロックレバー操作用突起２１０によりロックレバー５６のロック解除状態が維持されると共に、カセット装着用ボス２２０はボス連係部５１の長片５１ｂを押し、２安定作動部材５２をスプリング５５の作用に抗して回転させる（図１１）。２安定作動部材５２の回転が図１１に示す位置を超えると、２安定作動部材５２に対するスプリング５５の作用が反転し、ボス連係部５１の短片５１ａがカセット装着用ボス２２０を押し、給紙カセット２０を一気に正規位置へ移動させ、ストッパ５８に突き当てる（図１２）。
【００３８】
給紙カセット２０をプリンタ本体から引抜くときは、図１２の状態からカセット装着用ボス２２０にてボス連係部５１の短片５１ａを押しながら給紙カセット挿込口へ移動するので、その途中でスプリング５５の作用が反転し、図１１から図１０の第１安定位置へ２安定作動部材５２が回転する。更に給紙カセット２０を引抜くと、ロックレバー操作用突起２１０がロックレバー５６のロック解除片５６ａから離れ、ロックレバー５６をスプリング５７の付勢力によってボス連係部５１側に回転させ、ボス連係部５１の長片５１ｂを係止してロックする。
このように２安定作動部材５２を第１安定位置にてロックすることにより、給紙カセット２０の非装着時において、常に給紙カセット２０の装着可能状態が確保され、信頼性が向上する。
【００３９】
給紙カセット２０がストッパ５８に突き当てられた状態のスプリング５５の作用を図１３に基づいて説明する。スプリング５５が図示の第２安定位置でカセット装着用ボス２２０を介して給紙カセット２０に作用する力Ｆは、用紙側端揃え側に向いており、給紙カセット２０の挿込み方向の力Ｆ１と一方の側壁部方向の力Ｆ２に分力を発生させる。この分力Ｆ１を利用して給紙カセット２０の前壁部に配置されたストッパ５８に給紙カセット２０の前壁部を押しつける。一方分力Ｆ２によって、用紙側端揃え側に配置された第２ストッパ５８ｂに給紙カセット２０の側壁部を押しつける。
このような２安定機構により給紙カセット２０の正規位置への装着を確実に行うことができると共に、２安定機構のスプリング５５を利用して給紙カセット２０をストッパ５８と第２ストッパ５８ｂに突き当てた正規位置に安定して維持させることができ、構成の簡素化が図れる。
【００４０】
本発明の実施の形態の説明においては、２安定作動部材５２に回転力を与える回転力付与部材として単一のコイルスプリングにより構成したものを説明しているが、板状スプリングなどにより構成することもできる。
【００４１】
【発明の効果】
本発明によれば、２安定機構により給紙カセットを確実に正規位置にセットし、維持するので、用紙の分離性能が向上されると共に、記録ヘッドのゼロ桁側への給紙カセットの位置合わせ精度が良くなる。
【図面の簡単な説明】
【図１】本発明に係る給紙カセット装着装置を適用したプリンタ装置の斜視図である。
【図２】プリンタ装置における給紙装置の模式図である。
【図３】本発明に係る給紙カセット装着装置における給紙カセットを用紙収納部側から見た斜視図である。
【図４】図３のＩ−Ｉ矢視図である。
【図５】本発明に係る給紙カセット装着装置における給紙カセットの平面図である。、
【図６】本発明に係る給紙カセット装着装置における給紙カセットの背面図である。
【図７】図６の裏カバーを取り外した給紙カセットの背面図である。
【図８】用紙揃え用ボスと溝カムの関係を示す図である。
【図９】給紙カセット装着部のフレームと給紙カセットの関係を示す図である。
【図１０】ロック機構における解除動作の説明図である。
【図１１】２安定機構におけるスプリング作用の反転動作の説明図である。
【図１２】給紙カセットの装着完了状態の説明図である。
【図１３】２安定機構のスプリングを利用した給紙カセットの位置決め動作の説明図である。
【符号の説明】
１    プリンタ装置
２    給紙カセット装着部
２０  給紙カセット
４０  給紙カセット装着部の底フレーム
５０  ２安定機構
５１  ボス連係部
５２  ２安定作動部材
５５  スプリング（回転力付与部材）
５６  ロックレバー
５６ａ  ロック解除片
５８  ストッパ（カセット前壁ストッパ）
５８ｂ  第２ストッパ（カセット側壁ストッパ）
２１０  ロックレバー操作用突起
２２０  カセット装着用ボス
Ｐ    用紙
【図１】
0003778254.tif 000002
【図２】
0003778254.tif 000003
【図３】
0003778254.tif 000004
【図４】
0003778254.tif 000005
【図５】
0003778254.tif 000006
【図６】
0003778254.tif 000007
【図７】
0003778254.tif 000008
【図８】
0003778254.tif 000009
【図９】
0003778254.tif 000010
【図１０】
0003778254.tif 000011
【図１１】
0003778254.tif 000012
【図１２】
0003778254.tif 000013
【図１３】
0003778254.tif 000014